(57)【要約】入力光信号のうちのいずれか一つを選択的に出力する光スイッチから出力される光信号を判別するためのシステムであって、光信号源から分岐した少なくとも二つの光信号を相互に異なる波長帯域の光信号に変換して前記光スイッチに出力する変換部を備え、前記光スイッチは、前記変換部から入力される相互に異なる波長帯域に変換された少なくとも二つの光信号のうちのいずれか一つを出力する。
2004028044.tif 000002
【特許請求の範囲】
【請求項１】
入力光信号のうちのいずれか一つを選択的に出力する光スイッチから出力される光信号を判別するためのシステムであって、
光信号源から分岐した少なくとも二つの光信号を相互に異なる波長帯域の光信号に変換して前記光スイッチに出力する変換部を備え、
前記光スイッチは、前記変換部から入力される相互に異なる波長帯域に変換された少なくとも二つの光信号のうちのいずれか一つを出力する、光信号判別システム。
【請求項２】
前記光スイッチから出力される光信号の波長帯域を判別する判別部をさらに備える、請求項１に記載の光信号判別システム。
【請求項３】
前記判別部は、特定波長帯域の光信号を透過させるフィルターと、前記光スイッチから出力される特定波長帯域の光信号を前記フィルターを介して受光する受光部とを含む、請求項２に記載の光信号判別システム。
【請求項４】
前記判別部は、前記変換部によって変換される波長帯域ごとに、その波長帯域の光信号を透過させるフィルターと、前記光スイッチから出力されるその波長帯域の光信号をそのフィルターを介して受光する受光部とを含む、請求項２に記載の光信号判別システム。
【請求項５】
入力光信号のうちのいずれか一つを出力させることを目的として前記光スイッチを切り替え制御する制御部と、
前記光スイッチの切り替え制御によって前記制御部が出力させようとした入力光信号の波長帯域と前記判別部によって判別された光信号の波長帯城とが異なる場合に、前記光スイッチの異常を検出する検出部とをさらに備える、請求項２に記載の光信号判別システム。
【請求項６】
入力光信号のうちのいずれか一つを選択的に出力する光スイッチから出力される光信号を判別するためのシステムであって、
光信号源から分岐した少なくとも二つの光信号のうちの一方の光信号に対して所定処理を施す第１処理部と、
前記光信号源から分岐した少なくとも二つの光信号のうちの他方の光信号に対して前記所定処理と同一の処理を施す第２処理部と、
前記第１及び第２処理部それぞれから入力される少なくとも二つの光信号を相互に異なる波長帯域の光信号に変換して前記光スイッチに出力する変換部とを備え、
前記光スイッチは、前記変換部から入力される相互に異なる波長帯域に変換された少なくとも二つの光信号のうちのいずれか一つを出力する、光信号判別システム。
【請求項７】
前記光スイッチから出力される光信号の波長帯域を判別する判別部をさらに備える、請求項６に記載の光信号判別システム。
【請求項８】
前記判別部は、特定波長帯域の光信号を透過させるフィルターと、前記光スイッチから出力される特定波長帯域の光信号を前記フィルターを介して受光する受光部とを含む、請求項７に記載の光信号判別システム。
【請求項９】
前記判別部は、前記変換部によって変換される波長帯域ごとに、その波長帯域の光信号を透過させるフィルターと、前記光スイッチから出力されるその波長帯域の光信号をそのフィルターを介して受光する受光部とを含む、請求項７に記載の光信号判別システム。
【請求項１０】
入力光信号のうちのいずれか一つを出力させることを目的として前記光スイッチを切り替え制御する制御部と、
前記光スイッチの切り替え制御によって前記制御部が出力させようとした入力光信号の波長帯域と前記判別部によって判別された光信号の波長帯域とが異なる場合に、前記光スイッチの異常を検出する検出部とをさらに備える、請求項７に記載の光信号判別システム。
【請求項１１】
入力光信号のうちのいずれか一つを選択的に出力する光スイッチから出力される光信号を判別するための方法であって、
光信号源から分岐した少なくとも二つの光信号を相互に異なる波長帯域の光信号に変換して前記光スイッチに出力することにより、前記光スイッチは、前記相互に異なる波長帯域に変換された少なくとも二つの光信号のうちのいずれか一つを出力するようにした、光信号判別方法。
【請求項１２】
入力光信号のうちのいずれか一つを選択的に出力する光スイッチから出力される光信号を判別するための方法であって、
光信号源から分岐した少なくとも二つの光信号のうちの一方の光信号に対して所定処理を施す第１処理部、及び、前記光信号源から分岐した少なくとも二つの光信号のうちの他方の光信号に対して前記所定処理と同一の処理を施す第２処理部それぞれから入力される少なくとも二つの光信号を相互に異なる波長帯域の光信号に変換して前記光スイッチに出力することにより、前記光スイッチは、前記相互に異なる波長帯域に変換された少なくとも二つの光信号のうちのいずれか一つを出力するようにした、光信号判別方法。
【発明の詳細な説明】
【技術分野】  本発明は、入力光信号のうちのいずれか一つを選択的に出力する光スイッチから出力される光信号を判別するための技術に関する。
【背景技術】  近年、伝送速度１０Ｇｂｐｓで１００波以上を光波長多重（ＷＤＭ：Ｗａｖｅｌｅｎｇｔｈ  Ｄｉｖｉｓｉｏｎ  Ｍｕｌｔｉｐｌｅｘｉｎｇ）するシステムが実用化されている。波長多重伝送は異なる波長の光信号を１本の光ファイバに多重化して伝送する方式である。
一般に通信回線では、信号経路（伝送路、伝送装置、装置内構成パッケージ）に冗長性を持たせることが多い。これまで波長多重伝送を含むネットワークでは波長多重伝送装置の下位に接続される時間多重装置（ＴＤＭ：Ｔｉｍｅ  Ｄｉｖｉｓｉｏｎ  Ｍｕｌｔｉｐｌｅｘｉｎｇ）等において電気的な処理によって冗長系を構成する場合が多かったが、近年、光波長多重装置の多重度が拡大するに従って、光信号のレベルで一括して信号の冗長系を構成するという要請が高まっている。
図４は従来技術による光波長多重装置（端局装置）による波長多重伝送路を含むネットワークにおいて多重分離を行う前および後の低速側において光信号の冗長を行う系の一例である。
この例では２系等の波長多重分離装置Ａに対して、送信端において光カプラＣ１’によって２分割した信号をそれぞれ入力して、受信側で２系統の受信出力から一方を光スイッチ部４００’により選択して下位の装置に対して送出する、所謂、受信端切替構成を取っている。この図においてトランスポンダー１１１’（２１１’）は下位の装置から入力される通常の光信号を波長多重に適用するＩＴＵ−Ｔグリッド等の波長を持つ光信号へと変換するトランスポンダーである。トランスポンダー１１１’（２１１’）によって変換された信号は多重化部１１２’（２１２’）によって波長多重された後、光アンプ１１３’（２１３’）により光伝送に適したレベルに増幅され、伝送路＃１（＃２）に送出される。伝送路を通った光信号は低下した光レベルを受信光アンプ１２１’（２２１’）により補償された後、波長多重分離部１２２’（２２２’）により波長多重分離される。波長多重分離された信号はトランスポンダー１２３’（２２３’）へ送られる。トランスポンダー１２３’（２２３’）は光アンプ出力中のＡＳＥ（自然放出光）のノイズに対して耐力を持つＯＥ（光電気変換部）をもつトランスポンダーであり、入力光信号は通常のＳＴＭ−ｘ（ｘ＝１〜６４）等の光出力規定波長、パワーを持つ信号に変換され光出力される。
図５は図４で省略した従来技術による光受信端切替を行うスイッチ４０１’を含む受信側の詳細図である。トランスポンダー１２３’（２２３’）においては入力断検出、フレーム外れ検出、Ｂ１モニタリングによるエラーパフォーマンスのモニタを行う。スイッチ部４００’においても入力断検出を行う。例えば０系が現用系であり、１系が予備系でありスイッチ部４００は０系からの入力を選択しているものとする。初期状態は０系、１系ともトランスポンダー１２３’（２２３’）においてもスイッチ部４００’においても光入力断、フレーム外れ、エラー発生が無い状態とする。この状態から現用系において切替トリガ（トランスポンダー１２３’（２２３’）における光入力断、フレーム外れ、エラーしきい値超過、スイッチ部４００’の光入力断）が発生すると、その情報を受けたスイッチ部４００’の制御部４０７’は予備系の警報状態（光入力断、フレーム外れ、エラーしきい値超過、ＳＷ部の光入力断）が無いことを条件としてスイッチ選択を予備系に切り替える。予備系である１系に切り替えられ、スイッチ部４００’のＧ光出力は１系のそれとなり、下位装置への信号疎通は切替トリガ検出、スイッチ制御の遅延の後、復旧される。
従来技術で示した系では信号の切替部に光スイッチ素子が使用される。このスイッチ素子の方式にはメカニカルに光方路を切替える方式、光磁気効果（力−効果等）により光方路を切替える方式等がある。これらスイッチには一般的に動作状態をフィードバッグして確認できるようなモニタの機能が無く、従ってこのスイッチを光信号切替えに使用した場合、制御しようとしている状態については把握可能であるが、実際にどちらの系が選択されているかどうかは情報として得ることができない。冗長系を持つ伝送系では、伝送路の支障移転の作業において、現在の選択系の把握が必須となる。しかしながら上記のような光スイッチ４０１’の特性から最終的な系選択の把握が不可能なこととなりネットワーク運用上、大きな問題となる。図６のように仮に光スイッチ４０１’の故障が起きて、制御部４０７’は０系からの光信号を出力させようとしているのにも関わらず、実際には１系からの光信号が出力されている場合、１系に対して支障移転作業を行うと、予期しない回線断を引き起こすこととなる。
波長多重光のモニタによる障害監視機能に関する技術としては、例えば特開平１０−１０７７７２号公報に開示のパス監視装置が提案されている。このパス監視装置によると、波長多重光のモニタにより合波器又はスイッチの異常監視を実現しようとする。また、同様の技術としては、例えば特開平１１−３４６２０２号に開示の監視制御装置が提案されている。この監視制御装置によると、波長多重光のモニタにより多重装置の異常監視を実現しようとする。
【発明の開示】
本発明の課題は、入力光信号のうちのいずれか一つを選択的に出力する光スイッチから実際に出力されている光信号を判別できるようにすることにある。
本発明は、上記課題を解決するためになされたものであり、次のように構成される。入力光信号のうちのいずれか一つを選択的に出力する光スイッチから出力される光信号を判別するためのシステムであって、光信号源から分岐した少なくとも二つの光信号を相互に異なる波長帯域の光信号に変換して前記光スイッチに出力する変換部を備え、前記光スイッチは、前記変換部から入力される相互に異なる波長帯域に変換された少なくとも二つの光信号のうちのいずれか一つを出力する、光信号判別システム。
本発明によれば、光スイッチは、相互に異なる波長帯域に変換された入力光信号（入力光信号ごとにラベル付けをしているといえる）のうちの少なくとも二つの光信号のうちのいずれか一つを出力することになるため、その出力される光信号の波長帯域に基づけば、光スイッチから実際に出力されている光信号を判別することが可能となる。
上記光信号判別システムにおいては、例えば、前記光スイッチから出力される光信号の波長帯域を判別する判別部をさらに備える。このようにすれば、光スイッチから実際に出力されている光信号の波長帯域を自動的に判別することが可能となる。
上記光信号判別システムにおいては、例えば、前記判別部は、特定波長帯域の光信号を透過させるフィルターと、前記光スイッチから出力される特定波長帯域の光信号を前記フィルターを介して受光する受光部とを含む。また、上記光信号判別システムにおいては、例えば、前記判別部は、前記変換部によって変換される波長帯域ごとに、その波長帯域の光信号を透過させるフィルターと、前記光スイッチから出力されるその波長帯域の光信号をそのフィルターを介して受光する受光部とを含む
このようにすれば、比較的簡易な構成により光スイッチから実際に出力されている光信号の波長帯域を判別することが可能となる。
また、上記光信号判別システムにおいては、例えば、上記入力光信号のうちのいずれか一つを出力させることを目的として前記光スイッチを切り替え制御する制御部と、前記光スイッチの切り替え制御によって前記制御部が出力させようとした入力光信号の波長帯城と前記判別部によって判別された光信号の波長帯域とが異なる場合に、前記光スイッチの異常を検出する検出部とをさらに備える。
このようにすれば、比較的簡易な構成により光スイッチの異常を検出することが可能となる。
また、本発明は次のように特定することもできる。入力光信号のうちのいずれか一つを選択的に出力する光スイッチから出力される光信号を判別するためのシステムであって、光信号源から分岐した少なくとも二つの光信号のうちの一方の光信号に対して所定処理を施す第１処理部と、前記光信号源から分岐した少なくとも二つの光信号のうちの他方の光信号に対して前記所定処理と同一の処理を施す第２処理部と、前記第１及び第２処理部それぞれから入力される少なくとも二つの光信号を相互に異なる波長帯城の光信号に変換して前記光スイッチに出力する変換部とを備え、前記光スイッチは、前記変換部から入力される相互に異なる波長帯域に変換された少なくとも二つの光信号のうちのいずれか一つを出力する、光信号判別システム。
本発明によれば、光スイッチは、相互に異なる波長帯城に変換された入力光信号（入力光信号ごとにラベル付けをしているといえる）のうちの少なくとも二つの光信号のうちのいずれか一つを出力することになるため、その出力される光信号の波長帯域に基づけば、光スイッチから実際に出力されている光信号を判別することが可能となる。
また、本発明は、方法の発明として次のように特定することもできる。入力光信号のうちのいずれか一つを選択的に出力する光スイッチから出力される光信号を判別するための方法であって、光信号源から分岐した少なくとも二つの光信号を相互に異なる波長帯城の光信号に変換して前記光スイッチに出力することにより、前記光スイッチは、前記相互に異なる波長帯域に変換された少なくとも二つの光信号のうちのいずれか一つを出力するようにした、光信号判別方法。
また、本発明は、方法の発明として次のように特定することもできる。入力光信号のうちのいずれか一つを選択的に出力する光スイッチから出力される光信号を判別するための方法であって、光信号源から分岐した少なくとも二つの光信号のうちの一方の光信号に対して所定処理を施す第１処理部、及び、前記光信号源から分岐した少なくとも二つの光信号のうちの他方の光信号に対して前記所定処理と同一の処理を施す第２処理部それぞれから入力される少なくとも二つの光信号を相互に異なる波長帯城の光信号に変換して前記光スイッチに出力することにより、前記光スイッチは、前記相互に異なる波長帯域に変換された少なくとも二つの光信号のうちのいずれか一つを出力するようにした、光信号判別方法。
【図面の簡単な説明】  図１は、本発明の実施形態である光信号判別システムの概略システム構成図である。
図２は、本発明の実施の形態である光信号判別システムに包含されるＷＤＭ装置受信部とスイッチ部との詳細を説明するための図である。
図３は、主に、本発明の実施の形態である光信号判別システムに包含されるスイッチ部において用いられるバンドパスフィルターの特性を説明するための図である。
図４は、本発明の従来例の概略システム構成を説明するための図である。
図５は、本発明の従来例に包含されるＷＤＭ装置受信部とスイッチ部との詳細を説明するための図である。
図６は、本発明の従来例に包含されるＷＤＭ装置受信部とスイッチ部との詳細を説明するための図である。
【発明を実施するための最良の形態】  本発明の一実施形態である光信号判別システムの概略システム構成について図面を参照しながら説明する。
図１は、光信号判別システムの概略システム構成図である。同図に示すように、光信号判別システムは、光信号源としてのＴＤＭ装置Ｌ１から光カプラＣ１によって分岐した二つの光信号が、第１及び第２処理部１００、２００、変換部３００を介して入力されるスイッチ部４００を含む。第１及び第２処理部１００、２００はそれぞれ、入力光信号に対して同一の処理を施すように冗長に構成され、並列に配置される。変換部３００は、二つの入力光信号を相互に異なる波長帯城の光信号に変換する。この光信号判別システムにおいては、ＴＤＭ装置Ｌ１から光カプラによって分岐した二つの光信号はそれぞれ、第１及び第２処理部１００、２００によって同一処理を施され、さらに、変換部３００によって相互に異なる波長帯域に変換された後にスイッチ部４００に入力される。スイッチ部４００は、それらの入力光信号のうちのいずれか一つを選択的に出力する。なお、本実施形態では、ＴＤＭ装置Ｌ１から分岐する光信号が二つであるためこれに合わせて二つの処理部１００、２００を設けているが、分岐する光信号の数に応じて適宜の数の処理部を設けることができる。
第１処理部１００は、ＷＤＭ装置送信部１１０、及び、そのＷＤＭ装置送信部１１０に伝送路＃１を介して接続されたＷＤＭ装置受信部１２０を含む。
ＷＤＭ装置送信部１１０は、ＴＤＭ装置Ｌ１に光カプラＣ１を介して接続されたトランスポンダー１１１を備える。トランスポンダー１１１は、ＴＤＭ装置Ｌ１から光カプラＣ１によって分岐した二つの光信号のうちの一方の光信号（通常の光信号）を波長多重に適用するＩＴＵ−Ｔグリッド等の波長を持つ光信号へと変換して出力するための装置である。そのトランスポンダー１１１に接続された多重化部１１２は、トランスポンダー１１１から入力される変換後の光信号を波長多重して出力するための装置である。その多重化部１１２に接続された光アンプ１１３は、多重化部１１２から入力される波長多重された光信号を光伝送に適したレベルに増幅するためのアンプである。光アンプ１１３には伝送路＃１を介してＷＤＭ受信部１２０が接続されている。光アンプ１１３によって増幅された光信号は伝送路＃１を介してＷＤＭ受信部１２０に伝送される。
ＷＤＭ装置受信部１２０は、図２に示すように、ＷＤＭ装置送信部１１０に伝送路＃１を介して接続された光アンプ１２１を備える。光アンプ１２１は、ＷＤＭ装置送信部１１０から伝送路＃１を介して供給される波長多重された光信号の低下した光レベルを増幅するためのアンプである。その光アンプ１２１に接続された波長多重分離部１２２は、光アンプ１２１から入力される波長多重された光信号を波長多重分離して出力するための装置である。
以上のように構成された第１処理部１００は、ＴＤＭ装置Ｌ１から光カプラＣ１によって分岐した二つの光信号のうちの一方の光信号に対して所定処理（波長多重、波長分離等）を施し、変換部３００（トランスポンダー１２３）に出力する。
第２処理部２００は、ＷＤＭ装置送信部２１０、及び、そのＷＤＭ装置送信部２１０に伝送路＃２を介して接続されたＷＤＭ装置受信部２２０を含む。
ＷＤＭ装置送信部２１０は、ＴＤＭ装置Ｌ１に光カプラＣ１を介して接続されるトランスポンダー２１１を備える。トランスポンダー２１１は、ＴＤＭ装置Ｌ１から光カプラＣ１によって分岐した二つの光信号のうちの他方の光信号（通常の光信号）を波長多重に適用するＩＴＵ−Ｔグリッド等の波長を持つ光信号へと変換して出力するための装置である。そのトランスポンダー２１１に接続された多重化部２１２は、トランスポンダー２１１から入力される変換後の光信号を波長多重して出力するための装置である。その多重化部２１２に接続された光アンプ２１３は、多重化部２１２から入力される波長多重された光信号を光伝送に適したレベルに増幅するためのアンプである。光アンプ２１３には伝送路＃２を介してＷＤＭ受信部２２０が接続されている。光アンプ２１３によって増幅された光信号は伝送路＃２を介してＷＤＭ装置受信部２２０に伝送される。
ＷＤＭ装置受信部２２０は、図２に示すように、ＷＤＭ装置送信部２１０に伝送路＃２を介して接続された光アンプ２２１を備える。光アンプ２２１は、ＷＤＭ装置送信部２１０から伝送路＃２を介して供給される波長多重された光信号の低下した光レベルを増幅するためのアンプである。その光アンプ２２１に接続された波長多重分離部２２２は、光アンプ２２１から入力される波長多重された光信号を波長多重分離して出力するための装置である。
以上のように構成された第２処理部２００は、ＴＤＭ装置Ｌ１から光カプラＣ１によって分岐した二つの光信号のうちの他方の光信号に対して第１処理部１００と同一の処理（波長多重、波長分離等）を施し、変換部３００（トランスポンダー２２３）に出力する。
第１及び第２処理部１００、２００それぞれに接続された変換部３００は、第１及び第２処理部１００、２００それぞれから入力される二つの光信号を相互に異なる波長帯域の光信号に変換するための装置である。本実施形態においては変換部３００として二つのトランスポンダー１２３、２２３を用いる。
第１処理部１００に接続されたトランスポンダー１２３は、第１処理部１００から入力される光信号のＡＳＥ（自然放出光）のノイズに対して耐力を持つＯＥ（光電気変換部）をもつトランスポンダーである。トランスポンダー１２３は、入力光信号を通常のＳＴＭ−ｘ（ｘ＝１〜６４）等の光出力規定波長、パワーを持つ信号に変換して光出力する。ここでは、トランスポンダー１２３は、入力光信号を波長帯域１５４０±５ｎｍの光信号に変換して光出力する。
第２処理部２００に接続されたトランスポンダー２２３は、第２処理部２００から入力される光信号のＡＳＥ（自然放出光）のノイズに対して耐力を持つＯＥ（光電気変換部）をもつトランスポンダーである。トランスポンダー２２３は、入力光信号を通常のＳＴＭ−ｘ（ｘ＝１〜６４）等の光出力規定波長、パワーを持つ信号に変換して光出力する。ここでは、トランスポンダー２２３は、入力光信号を波長帯域１５５０±５ｎｍの光信号に変換して光出力する。
トランスポンダー１２３（２２３も同様）の具体的な構成を図２右下に示す。図示のトランスポンダー１２３は、波長多重分離部１２２に接続された光電気変換部１２３ａを備える。光電気変換部１２３ａは、波長多重分離部１２２から入力される波長多重分離された光信号を受光し電気信号に変換するためのものである。その光電気変換部１２３ａに接続された変換部１２３ｂは、光電気変換部１２３ａから入力される電気信号を特定の波長帯域（例えば１５４０±５ｎｍ）の光信号に変換して光出力するためのものである。
また、トランスポンダー１２３（２２３）においては入力断検出ＬＯＬ、フレーム外れ検出ＬＯＦ、Ｂ１モニタリングによるエラーパフォーマンスＢＥＲのモニタを行う。スイッチ部４００においても入力断検出ＬＯＬを行う。
以上のように構成された変換部３００は、第１及び第２処理部１００、２００それぞれから入力される二つの光信号を相互に異なる波長帯域の光信号に変換し、スイッチ部４００に出力する。なお、上記に示した変換部３００が変換する波長帯域は一例であるが、変換部３００がＳＴＭ−ｘｘの規格の波長内で変換するようにすれば、下位に接続する装置との接続性が確保されることになる。
スイッチ部４００は、その動作を司る制御部４０７を備える。制御部４０７には、変換部３００としてのトランスポンダー１２３、２２３や光入力モニタ４０２、４０３が接続されている。
制御部４０７は、トランスポンダー１２３、２２３や光入力モニタ４０２、４０３から、第１及び第２処理部１００、２００の稼働状態等や光信号の伝送状態等を判定するための要素（入力断検出ＬＯＬ、フレーム外れ検出ＬＯＦ、Ｂ１モニタリングによるエラーパフォーマンスＢＥＲ）を取得する。制御部４０７は、これらの取得した要素に基づいて処理部１００、２００の状態等を検出する。そして、制御部４０７は、入力光信号のうちのいずれか一つを出力させることを目的として光スイッチ４０１を切り替え制御する。例えば、制御部４０７は、いずれか一方の処理部１００（又は２００）の異常を検出した場合には、他方の処理部２００（又は１００）が正常であることを条件に、その正常な方の処理部２００（又は１００）から入力される光信号を出力させることを目的として光スイッチ４０１を切り替え制御する。
光入力モニタ４０２は、トランスポンダー１２３から光カプラＣ２によって分岐する光信号を受光して電気信号に変換するためのフォトダイオード等の光電変換素子を含む。光入力モニタ４０３は、トランスポンダー２２３から光カプラＣ３によって分岐する光信号を受光して電気信号に変換するためのフォトダイオード等の光電気変換素子を含む。
制御部４０７に接続された光スイッチ４０１は、変換部３００としてのトランスポンダー１２３、２２３から入力される相互に異なる波長帯域に変換された二つの光信号のうちのいずれか一つを選択的に出力する光スイッチである。光スイッチ４０１は、上述したように、制御部４０７によって切り替え制御される。光スイッチ４０１は、例えば、機械的に光方路を切替える方式のスイッチ素子、光磁気効果（力−効果等）により光方路を切替える方式のスイッチ素子等である。
制御部４０７にはまた、照合部４０６が接続されている。制御部４０７は、照合部４０６に光スイッチ４０１の制御結果を示す情報を供給する。照合部４０６には、光入力モニタ４０４、４０５が接続されている。照合部４０６は、光入力モニタ４０４、４０５それぞれから入力される光電気変換された電気信号に基づいて光スイッチ４０１から実際に出力されている光信号の波長帯域を判別する。具体的には次のようにして判別する。光入力モニタ４０４は、光スイッチ４０１から光カプラＣ４、Ｃ５によって分岐する光信号をバンドパスフィルタ＃１を介して受光して電気信号に変換するためのフォトダイオード等の光電気変換素子を含む。光入力モニタ４０５は、光スイッチ４０１から光カプラＣ４、Ｃ５によって分岐する光信号をバンドパスフィルタ＃２を介して受光して電気信号に変換するフォトダイオード等の光電気変換素子を含む。
バンドパスフィルタ＃１、＃２の特性はそれぞれ図３のように設定する。バンドパスフィルタ＃１は波長帯域１５４０±５ｎｍの光信号（トランスポンダー１２３から出力される）を透過し、バンドパスフィルタ＃２は波長帯城１５５０±５ｎｍの光信号（トランスポンダー２２３から出力される）を透過し、それ以外の波長に対しては非透過となる特性とする。
バンドパスフィルタ＃１、＃２は上記の特性を持つため、光スイッチ４０１から波長帯域１５４０±５ｎｍの光信号が出力された場合には、その光信号は、バンドパスフィルタ＃１を透過して光入力モニタ４０４に達するが、バンドパスフィルタ＃２を透過しないため光入力モニタ４０５には達しない。一方、光スイッチ４０１から波長帯域１５５０±５ｎｍの光信号が出力された場合には、その光信号は、バンドパスフィルタ＃１を透過しないため光入力モニタ４０４に達しないが、バンドパスフィルタ＃２を透過するため光入力モニタ４０５に達する。
従って、照合部４０６は、光入力モニタ４０４、４０５それぞれから入力される光電気変換された電気信号に基づいていずれの波長帯域の光信号が光スイッチ４０１から実際に出力されているのかを判別できる。このように、スイッチ部４００においては、光スイッチ４０１素子による光信号選択後の光信号をそれぞれの系の波長に対応したバンドパスフィルター＃１又は＃２を挿入した光入力レベルモニタ４０４、４０５を装備し、それぞれの波長の光入力状態により最終的な系選択をモニタできるようにしている。
照合部４０６は、上述した制御部４０７から供給される光スイッチ４０１の制御結果を示す情報とその判別結果とを比較する。例えば、照合部４０６は、光スイッチ４０１の切り替え制御によって制御部４０７が出力させようとした入力光信号の波長帯域とその判別された光信号の波長帯域とを比較する。
その比較の結果、照合部４０６は、両者が異なれば、光スイッチ４０１の異常を検出して、その旨を報知する。一方、両者が一致していれば、照合部４０６は、光スイッチ４０１は正常であるとして、特になんらの報知も行わない。
次に、上記構成の光信号判別システムの動作について図面を参照しながら説明する。
光スイッチ４０１は当初、ＴＤＭ装置Ｌ１から第１処理部１００（及びトランスポンダー１２３）を介して入力される光信号を出力するように切り替え制御されているものとする。
図１に示すように、ＴＤＭ装置Ｌ１から光カプラＣ１によって分岐した二つの光信号のうちの一方の光信号は第１処理部１００に入力され、他方の光信号は第２処理部２００に入力される。
第１及び第２処理部１００、２００はそれぞれ、ＴＤＭ装置Ｌ１からの入力光信号に対して同一処理（波長多重、波長分離等）を施す。変換部３００（トランスポンダー１２３、２２３）は、第１及び第２処理部１００、２００それぞれから入力される同一処理を施された二つの光信号を相互に異なる波長帯域の光信号に変換する。本実施形態においては、第１処理部１００から入力される光信号は、トランスポンダー１２３によって、波長帯域１５４０±５ｎｍの光信号に変換される。また、第２処理部２００から入力される光信号は、トランスポンダー２２３によって、波長帯域１５５０±５ｎｍの光信号に変換される。
光スイッチ４０１は、変換部３００（トランスポンダー１２３及び２２３）から入力される相互に波長帯域が異なる二つの光信号のうちのいずれか一つを選択的に出力する。ここでは、光スイッチ４０１は、第１処理部１００を介して入力される光信号を出力するように切り替え制御されているので、第１処理部１００を介して入力される光信号（ここでは、波長帯域１５４０±５ｎｍの光信号）を出力する。
図２に示すように、光スイッチ４０１から出力された光信号はＴＤＭ装置Ｌ２に供給される。また、光スイッチ４０１から出力された光信号は光カプラＣ４、Ｃ５により分岐して、光入力モニタ４０４、４０５に向かう。しかし、バンドパスフィルタ＃１、＃２は上記の特性をもつため、そのスイッチ４０１からの光信号（ここでは、波長帯域１５４０±５ｎｍの光信号）は、バンドパスフィルタ＃１を透過して光入力モニタ４０４に達するが、バンドパスフィルタ＃２を透過しないため光入力モニタ４０５には達しない。
このため、照合部４０６は、光入力モニタ４０４、４０５それぞれから入力される電気信号に基づいて光スイッチ４０１から実際に出力されている光信号の波長帯域が１５４０±５ｎｍと判別する。なお、光入力モニタ４０４、４０５への光入力状態から光スイッチ４０１の出力として正常に第１処理部１００からの光信号が選択されていることを確認できる。
照合部４０６は、制御部４０７から供給される光スイッチ４０１の制御結果を示す情報とその判別結果とを比較する。具体的には、照合部４０６は、光スイッチ４０１の切り替え制御によって制御部４０７が出力させようとした入力光信号の波長帯域（この場合、１５４０±５ｎｍ）とその判別された光信号の波長帯域とを比較する。その比較の結果、両者が異なれば、照合部４０６は、光スイッチ４０１の異常を検出して、その旨を報知する。一方、両者が一致していれば、照合部４０６は、光スイッチ４０１は正常であるとして、特になんらの報知もしない。
例えば、制御部４０７は、第１処理部１００を介して入力される波長帯域１５４０±５ｎｍの光信号を出力させることを目的として光スイッチ４０１を切り替え制御したにも関わらず、光スイッチ４０１が動作異常により第２処理部２００を介して入力される波長帯域１５５０±５ｎｍの光信号を出力している場合には、バンドパスフィルタ＃１を介しての光入力が無くなる。この場合、両者が異なるので、照合部４０６は、光スイッチ４０１の異常（もしくは光経路接続異常）を検出して、その旨を報知する。このようにすれば、保守者へ警報を発出し、信号疎通がなされた状態で、支障移転以前に系の異常を把握することが可能となる。
上記実施形態においては、変換部３００は第１及び第２処理部１００、２００の出力側に隣接して配置するように説明したが、本発明はこれに限定されない。例えば、変換部３００はスイッチ部４０１の入力側に隣接して配置するようにしてもよい。
本発明は、その精神または主要な特徴から逸脱することなく、他の様々な形で実施することができる。このため、上記の実施形態は、あらゆる点で単なる例示にすぎず、限定的に解釈されるものではない。
【産業上の利用可能性】  本発明によれば、入力光信号のうちのいずれか一つを選択的に出力する光スイッチから出力される光信号を判別できるようになる。従って、光スイッチあるいは途中光経路の異常を検出すること可能となる。また、誤った系切り替えによる信号断を回避することが可能となる。
【図１】
2004028044.tif 000003
【図２】
2004028044.tif 000004
【図３】
2004028044.tif 000005
【図４】
2004028044.tif 000006
【図５】
2004028044.tif 000007
【図６】
2004028044.tif 000008
【国際調査報告】
2004028044.tif 000009
2004028044.tif 000010
2004028044.tif 000011
2004028044.tif 000012